(57)【要約】      （修正有）【課題】周囲の明暗に関係なく情報を知らしめることができるＬＥＤ表示装置板を提供する。【解決手段】矩形状の所要厚を有する透明なアクリル樹脂板の長手方向の上端部にこの厚みと同幅のアルミニウム等の金属箔を貼付し、下端部にコ字状のスリットを設け、このスリット内に合致し、嵌合可能な絶縁材からなるベース板上に複数個の抵抗器とＬＥＤを直列に接続し、さらにそれらを互いに並列に一体化した複合接続体を嵌合固定するとともに、ＬＥＤの末端に電源アダプタを接続してなる。【選択図】図３
0003165823.tif 000002
【実用新案登録請求の範囲】
【請求項１】
矩形状の所要厚を有する透明なアクリル樹脂板の長手方向の上端部にこの厚みと同幅のアルミニウム等の金属箔を貼付し、下端部にコ字状のスリットを設け、このスリット内に合致し、嵌合可能な絶縁材からなるベース板上に複数個の抵抗器とＬＥＤを直列に接続し、さらにそれらを互いに並列に一体化した複合接続体を嵌合固定するとともに、前記ＬＥＤの末端に電源アダプタを接続して構成したことを特徴とするＬＥＤ表示装置板。
【請求項２】
前記装置板の透明なアクリル樹脂板の長手方向の上端部にもスリットを設け、下端部と同様に抵抗器とＬＥＤを直列に接続し、これらを互いに並列に一体化し、対向面にも光源を発生させるようにしたことを特徴としたＬＥＤ表示装置板。
【請求項３】
前記装置板の電源に太陽電池を接続したことを特徴としたＬＥＤ表示装置板。
【考案の詳細な説明】
【技術分野】
【０００１】本考案は、発光ダイオード（以下、ＬＥＤと記載する。）を用いた部分照明装置板に関するもので、特に、透明なアクリル樹脂板との組み合わせで構成したＬＥＤ表示装置板に関するものである。
【背景技術】
【０００２】従来、展示台、展示棚、ショーウインドー等に置かれる類似製品等がなんと言うネーミングで価格はいくらなのか等の商品情報を単なる印字標記板等で表示していた。【０００３】しかしながら、上記の方法では次のような問題がある。
（１）製品の確認はそのそばにある標記板にまで近接しなければなければ確認できない。
（２）周囲の照明がないところでは殆ど読取りができなくなる。このため、特に、夜間等では周囲の照明を上げる必要があり、省エネに逆行したものとなる。
【考案の概要】
【考案が解決しょうとする課題】
【０００４】本考案は上述の問題点を除去するためになされたものであり、透明なアクリル樹脂の平面をその下端部に組み込んだ複数個のＬＥＤで照らしだすことにより周囲の明暗に関係なく情報を知らしめることを可能にした。
【課題を解決するための手段】
【０００５】本考案は、矩形状の所要厚を有する透明なアクリル樹脂の長手方向の上端部にこの厚みと同幅のアルミニウ等の金属箔を貼付し、下端部にコ字状のスリットを設け、このスリット内に合致し、嵌合可能な絶縁材からなるベース板上に複数個の抵抗器とＬＥＤを直列に接続し、さらにそれらを互いに並列に一体化した複合接続体を嵌合固定するとともに、前記ＬＥＤの末端に電源アダプタを接続したＬＥＤ表示装置板を提供する。
【考案の効果】
【０００６】透明なアクリル樹脂板を使用することで厚みのレンズ効果によるＬＥＤからの発光輝度を必然的に得ることができることから一目で製品の情報が確認可能となる。
【図面の簡単な説明】
【０００７】
【図１】本考案のＬＥＤ表示装置板の部材組み合わせ斜視図
【図２】本考案のＬＥＤ表示装置板の発光部分の平面図
【図３】本考案のＬＥＤ表示装置板の完成品の平面図
【図４】電源用直流アダプタ及び電源用太陽電池の斜視図
【考案を実施するための形態】
【０００８】以上のように本考案のＬＥＤ表示装置板を使用した表示板においては、本体一個あたりの重量も極めて軽量となることから製品の配置してい台、棚板等を利用して両挟みクリップ等で挟止めして容易に体裁よく配置できる。
【実施例】
【０００９】以下、本考案の一実施例を説明する。
図１は本考案のＬＥＤ表示装置板の部材組み合わせ斜視図であるが、１は透明なアクリル樹脂板、２はフェノ−ル樹脂に予め電路を埋め込んだ縁材材からなるベース板、３はＬＥＤ、４は保護抵抗器、５は配電細線、６はコネクタ、７は粘着アルミニウム箔シール、８は充填接着剤を示す。【００１０】図１のように所要の厚み（３ｍｍ以上）を有する透明なアクリル樹脂板１を切断加工等で矩形状にし、長手方向の下端部１ａがコ字状になるように機械加工による溝１ｂを形成した部材と一方、ベース板２は、予め耐熱性合成樹脂の例えばフェノール樹脂の内部に電路を埋め込んだ一体成型体からなり、この電路に保護抵抗器４とＬＥＤ３をはんだ付け後、さらに一対の配電細線５を有するコネクタ６に接合することにより構成されている。さらに、透明なアクリル樹脂板１の長手方向の上端部１ｃには所要の厚みと同幅の粘着アルミニウム箔のシール７を貼付することで、アクリル樹脂１内の光源が前記のアルミニウム箔７の表面７ａに当接し乱反射するようにしてある。【００１１】本考案はこれらを組合わせることによりＬＥＤ表示装置板一個あたりの重量が極めて軽量な表示板が形成できるとともに使用部材も少ないので製作も容易となる。【００１２】図２はベース板２の並列電路にＬＥＤ３と保護抵抗器４をはんだ５０で接合し、さらにこれの末端をコネクタ６と接続している配電細線５末端と接合され電源とつながるように構成されている。【００１３】図３は本考案のＬＥＤ表示装置板の完成品の平面図を示す。この状態で電源がオンされるとアクリル樹脂１の下端部の複数個のＬＥＤ３は一斉に発光し、その発光は、上端部のアルミニウム箔のシール７にアクリル樹脂内部を直進し、反射してある種の乱反射効果で照度をアップさせる。【００１４】図４は本考案のＬＥＤ表示装置板の電源用アダプタの斜視図であり、本品には（ａ）の通常の使用品を用いるが、省エネとして（ｂ）の太陽電池を用いることも可能となる。【００１５】以上のように本考案のＬＥＤ表示装置板は、装置部材の組み合わせが容易であることから、比較的小型形状のものからの製作が可能となるためその用途（例えば、製品の価格表、案内板、メニュー表等々）も広範囲に使用できる。
また、透明のアクリル樹脂板の表面に蛍光塗料のマーカーペンで情報を書き込み等を行うことでさらに照度がアップされ、比較的周囲の暗い場所でも表示、識別が可能となり利便性が高い。
【図１】
0003165823.tif 000003
【図２】
0003165823.tif 000004
【図３】
0003165823.tif 000005
【図４】
0003165823.tif 000006
【手続補正書】
【提出日】平成22年11月5日(2010.11.5)
【手続補正１】
【補正対象書類名】実用新案登録請求の範囲
【補正対象項目名】全文
【補正方法】変更
【補正の内容】
【実用新案登録請求の範囲】
【請求項１】
矩形状の所用厚を有する透明なアクリル樹脂板の長手方向の上端部にこの厚みと同幅のアルミニウム等の金属箔を貼付し、下端部にコ字状のスリットを設け、このスリット内に合致し、嵌合可能な絶縁材からなるベース板上に複数個の抵抗器とＬＥＤを直列に接続し、さらにそれらを互いに並列に一体化した複合接続体を嵌合固定するとともに、前記ＬＥＤの末端に電源アダプタを接続して構成したことを特徴とするＬＥＤ表示装置板。
【請求項２】
前記ＬＥＤ表示装置板の透明なアクリル樹脂の長手方向の上端部にもスリットを設け、下端部と同様に抵抗器とＬＥＤを直列に接続し、これらを互いに並列に一体化し、対向面にも光源を発生させるようにしたことを特徴とする請求項１記載のＬＥＤ表示装置板。
【請求項３】
前記ＬＥＤ表示装置板の電源に太陽電池を接続したことを特徴とする請求項１記載のＬＥＤ表示装置板。